(57)【要約】【課題】本発明は、一般の首輪や胴輪、引き綱を利用でき、周波数や音色、音量を変えた音や、振動を発生させてペットに注意をし、躾や訓練をすることができるペット用過引張防止・訓練装置を得るにある。【解決手段】ペットの首輪や胴輪を取り付けることができる首輪取付具と、引き紐を取り付けることができる引き紐取付具と、前記首輪取付具と前記引き紐取付具との間隔が一定以上になった場合もしくは、前記首輪取付具と前記引き紐取付具との間に作用する力が一定以上になった場合にＯＮになり通電するスイッチと、このスイッチを介して電気が供給され音を発生する音発生装置と、それらに電気を供給する電源とでペット用過引張防止・訓練装置を構成している。【選択図】  図１
2004305192.tif 000002
【特許請求の範囲】
【請求項１】
ペットの首輪や胴輪を取り付けることができる首輪取付具と、引き紐を取り付けることができる引き紐取付具と、前記首輪取付具と前記引き紐取付具との間隔が一定以上になった場合もしくは、前記首輪取付具と前記引き紐取付具との間に作用する力が一定以上になった場合にＯＮになり通電するスイッチと、このスイッチを介して電気が供給され音を発生する音発生装置と、それらに電気を供給する電源とからなることを特徴とするペット用過引張防止・訓練装置。
【請求項２】
ペットの首輪や胴輪を取り付けることができる首輪取付具と、引き紐を取り付けることができる引き紐取付具と、前記首輪取付具と前記引き紐取付具との間隔が一定以上になった場合もしくは、前記首輪取付具と前記引き紐取付具との間に作用する力が一定以上になった場合にＯＮになり通電するスイッチと、このスイッチを介して電気が供給され振動を発生する振動発生装置と、それらに電気を供給する電源とからなることを特徴とするペット用過引張防止・訓練装置。
【請求項３】
前記スイッチを介して電気が供給され振動を発生する振動発生装置とからなることを特徴とする請求項１記載のペット用過引張防止・訓練装置。
【請求項４】
前記音発生装置の周波数・音色等が切換可能であることもしくは、音量が調節可能であることもしくは、その両方であることを特徴とする請求項１、３記載のペット用過引張防止・訓練装置。
【発明の詳細な説明】
【０００１】
【発明の属する技術分野】
本発明は、ペットの散歩中に、引き紐を過引っ張りをさせないで躾や訓練をするための、ペット用過引張防止・訓練装置に関する。
【０００２】
【従来の技術】
従来のペット用過引張防止・訓練装置には、引き綱に加わる張力によりスイッチ部が動作し、飼い主の音声が出力されるペット用訓練装置がある。（特許文献１参照。）
以下、図９、図１０により従来のペット用訓練装置について説明する。
これは、ペットに装着され引き綱２２を有する取付具２１と、引き綱２２に加わる張力により動作するスイッチ部２３と、取付具２１に設けられスイッチ部２３の動作によりペットの飼い主の声を記憶した音声記憶メモリ３０から音声を読み出しスピーカ２５から音声出力を得る音声出力再生回路２９と、各部へ電力を供給する電源部２８を備えたことを特徴とするものである。
【０００３】
【特許文献１】特開平１１−１６９００９号公報（第５頁、図９、図１０）
【０００４】
【発明が解決しようとする課題】
従来、犬などのペットに首輪や胴輪を付け、それに引き紐を付けて散歩させる際に、ペットが引き紐を強く引きすぎて、飼い主が引っ張られる事が多かった。ペットに注意しても聞き分けがなく、躾や訓練上にも好ましくなかった。ペットの引く力が強いときには、飼い主が転倒したり、車に接触することもあり危険であった。また、他人や他人のペットに怪我を負わせる事故もあった。散歩コースも飼い主ではなくペットが引っ張って決め、飼い主がそれに付いて行くこともあった。静かな市街地や、夜間の市街地は音が響くので、大きな音や声でペットに注意を促すことができなかった。ペットの首輪を引き紐で強く引くと、ペットが呼吸困難や、脳貧血、首の障害等を起こすこともあった。
【０００５】
従来の、引き綱に加わる張力によりスイッチ部が動作し、飼い主の音声が出力されるペット用訓練装置は、取付具すなわち首輪や胴輪に設けられたスピーカと音声出力再生回路から音声が出力されるものであり、一般の首輪や胴輪、引き綱を利用できないという欠点と、ペットの大小により首輪や胴輪、引き綱の大きさが異なるためサイズの種類が多いという欠点があった。また、飼い主の声を録音しなければならないという欠点と、記憶した飼い主の声だけでしかペットに注意を与え訓練できないという欠点があった。
【０００６】
本発明は以上のような従来の欠点に鑑み、一般の首輪や胴輪、引き綱を利用でき、周波数や音色、音量等を変えた音や、振動を発生させてペットに注意をし、躾や訓練をすることができるペット用過引張防止・訓練装置を提供することを目的としている。
【０００７】
本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【０００８】
【課題を解決するための手段】
上記目的を達成するために、請求項１記載の発明は、ペットの首輪や胴輪を取り付けることができる首輪取付具と、引き紐を取り付けることができる引き紐取付具と、前記首輪取付具と前記引き紐取付具との間隔が一定以上になった場合もしくは、前記首輪取付具と前記引き紐取付具との間に作用する力が一定以上になった場合にＯＮになり通電するスイッチと、このスイッチを介して電気が供給され音を発生する音発生装置と、それらに電気を供給する電源とでペット用過引張防止・訓練装置を構成している。
【０００９】
請求項２記載の発明は、ペットの首輪や胴輪を取り付けることができる首輪取付具と、引き紐を取り付けることができる引き紐取付具と、前記首輪取付具と前記引き紐取付具との間隔が一定以上になった場合もしくは、前記首輪取付具と前記引き紐取付具との間に作用する力が一定以上になった場合にＯＮになり通電するスイッチと、このスイッチを介して電気が供給され振動を発生する振動発生装置と、それらに電気を供給する電源とでペット用過引張防止・訓練装置を構成している。
【００１０】
請求項３記載の発明は、請求項１に係わる発明であり、前記スイッチを介して電気が供給され振動を発生する振動発生装置とでペット用過引張防止・訓練装置を構成している。
【００１１】
請求項４記載の発明は、請求項１、３に係わる発明であり、前記音発生装置の周波数・音色等が切換可能であることもしくは、音量が調節可能であることもしくは、その両方であることでペット用過引張防止・訓練装置を構成している。
【００１２】
【発明の実施の形態】
以下、図面に示す実施の形態により、本発明を詳細に説明する。
【００１３】
図１ないし図４に示す本発明の第１の実施形態において、１は首輪で、この首輪１には首輪留め具１ａが取り付けられている。
【００１４】
２は前記首輪留め具１ａに着脱することが可能な首輪連結具で、この首輪連結具２は首輪取付具３に取り付けられている。
【００１５】
３ａは前記首輪取付具３の柄で、この柄３ａの一部が本体４の端壁４ａに設けられた貫通孔４ｂを貫通して前記本体４の内部に収容されている。
【００１６】
３ｂは前記本体４内の前記柄３ａに取り付けたストッパーで、このストッパー３ｂと前記端壁４ａとの間にはスプリング３ｃが伸縮可能に組み込まれている。
【００１７】
３ｄは前記柄３ａに取付けた絶縁体で、この絶縁体３ｄにはスイッチ接点３ｅが取付けられており、このスイッチ接点３ｅと電源７は、電線７ａで通電可能に接続されている。
【００１８】
４ｃは前記本体４にスライド可能に取付けた絶縁体兼スライドボタンで一部が前記本体４の外に露出している。この絶縁体兼スライドボタン４ｃにはスイッチ接点４ｄが取付けられており、このスイッチ接点４ｄと音発生装置８は、電線７ｂで通電可能に接続されている。前記絶縁体兼スライドボタン４ｃをスライドさせることにより、前記スイッチ接点３ｅとスイッチ接点４ｄとの間隔を変えることができ、両者が接触して通電するまでの前記スプリング３ｃの伸縮量と圧縮力を調整できる。前記音発生装置８と前記電源７は、電線７ｃで通電可能に接続されている。前記音発生装置８は、内蔵のメモリや電子回路等により周波数や音色等を変えて音を発生することができ、また音量も変えられる。
【００１９】
８ａは前記音発生装置８の周波数・音色等切換ダイヤルで、超音波を含む音の周波数や音色等を任意に切り換えることができ、犬の嫌がる音や警告音、メロディー等にも切り換えることができる。
【００２０】
８ｂは前記音発生装置８の音量調整ダイヤルで、音量を任意に調整できる。
８ｃは前記音発生装置８のスピーカーである。
【００２１】
４ｅは前記本体４に設けたスリットで、このスリット４ｅを通して前記スピーカー８ｃから発した音を、前記本体４の外に出すことができる。
【００２２】
５は前記本体４に取付けた引き紐取付具で、この引き紐取付具５に引き紐連結具６ａを着脱することが可能であり、この引き紐連結具６ａには引き紐６が取り付けてある。
【００２３】
上記構成のペット用過引張防止・訓練装置９Ａを使用する場合、ペットに首輪１を取り付け、この首輪１に取付けてある首輪留め具１ａに、首輪連結具２を取り付ける。首輪連結具２はあらかじめ首輪取付具３に取り付けてある。引き紐６に取付けてある引き紐連結具６ａを、本体４に取付けた引き紐取付具５に取付け、引き紐６を手に持ってペットを散歩させる。
【００２４】
ペットが手に持った引き紐６を引っ張ると、首輪取付具３と引き紐取付具５の間隔が広くなり、連動して端壁４ａとストッパー３ｂとの間に挟み込まれたスプリング３ｃが圧縮されスイッチ接点３ｅがスイッチ接点４ｄ側に移動する。さらにペットが引き紐６を強く引っ張り、首輪取付具３と引き紐取付具５の間隔が一定以上になると、図４に示すように移動したスイッチ接点３ｅと、スイッチ接点４ｄが接触しＯＮになって通電する。電源７から供給された電気は、電線７ａ、スイッチ接点３ｅ、スイッチ接点４ｄ、電線７ｂと通り、音発生装置８で音を発生させ電線７ｃを通って電源７に戻る。音発生装置８で発生した音は、本体４に設けたスリット４ｅから本体４の外に出て、ペットに引っ張りすぎの注意を促し、ペットは引き紐６を引っ張るのをやめる。
【００２５】
ペットが引っ張るのをやめ、引き紐６をゆるめるとスプリング３ｃが伸び、スイッチ接点３ｅとスイッチ接点４ｄが離れてＯＦＦになり、音発生装置８からの音が止まる。それの繰り返しによりペットの過引っ張りを防止できると共に、ペットは過引っ張りを学習し、徐々に過引っ張りをしない躾や訓練ができる。
【００２６】
場所や状況、ペットの躾や訓練の度合いに合わせて、周波数・音色等切換ダイヤル８ａで周波数・音色等を変え、音を犬に聞こえる超音波にしても良いし、犬の嫌がる音や警告音、メロディーにしてもよい。また、音量調整ダイヤル８ｂで音量を変えてもよい。ペットが引き紐６を引く力や状況、躾や訓練の進み具合等に応じて絶縁体兼スライドボタン４ｃをスライドさせ、音が発生するまでのスプリング３ｃの伸縮量と圧縮力を調整し、音の発生時期をコントロールしてもよい。したがって、ペットや周囲の状況に合わせて適切な躾や訓練ができる。
【００２７】
【発明の異なる実施の形態】
次に、５図および図６に示す本発明の異なる実施の形態について説明する。なお、これらの本発明の異なる実施の形態の説明に当たって、前記本発明の第１の実施の形態と同一構成部分には同一符号を付して重複する説明を省略する。
【００２８】
図５および図６に示す本発明の第２の実施形態において、前記本発明の第１の実施の形態と主に異なる点は、絶縁体３ｄと本体４に取付けた絶縁体４ｆの間に、一定以上に圧縮されると通電する圧電スイッチ１０を取付けた点と、この圧電スイッチ１０と電源７を電線７ａで接続した点と、音発生装置８の代わりにバイブレータ１１とした点と、このバイブレータ１１と前記圧電スイッチ１０を電線７ｂで接続した点と、前記バイブレータ１１と前記電源７を電線７ｃで接続した点で、このように構成したペット用過引張防止・訓練装置９Ｂは、音の代わりに振動でペットに過引っ張りの注意を促すことができるので、静かな市街地や夜間の市街地での散歩でも、音により他人に迷惑をかけないで済み、振動に敏感なペットに対し前記本発明の第１の実施の形態と同様な作用効果が得られる。
【００２９】
図７および図８に示す本発明の第３の実施形態において、前記本発明の第１の実施の形態と主に異なる点は、柄３ａに取付けた磁石１２と、この磁石１２が一定以上スライドし離れることによりＯＮになって通電する電磁スイッチ１３を本体４に取付けた点と、前記電磁スイッチ１３と電源７を電線７ａで接続した点と、前記電磁スイッチ１３と音発生装置８を電線７ｂで接続した点と、音発生装置８とバイブレータ１１を電線７ｄで接続した点と、バイブレータ１１と電源７を電線７ｃで接続した点で、このように構成したペット用過引張防止・訓練装置９Ｃは、音と振動の併用でペットに過引っ張りの注意を促すことができるので、前記本発明の第１、２の実施の形態と同様な作用効果が得られる。
【００３０】
【発明の効果】
以上の説明から明らかなように、本発明にあたっては次に列挙する効果が得られる。
【００３１】
（１）請求項１記載の発明は、ペットの首輪や胴輪を取り付けることができる首輪取付具と、引き紐を取り付けることができる引き紐取付具と、前記首輪取付具と前記引き紐取付具との間隔が一定以上になった場合もしくは、前記首輪取付具と前記引き紐取付具との間に作用する力が一定以上になった場合にＯＮになり通電するスイッチと、このスイッチを介して電気が供給され音を発生する音発生装置と、それらに電気を供給する電源とで構成されているので、超音波やペットの嫌がる音、警告音、メロディー音等の音によりペットに過引っ張りを注意でき、ペットに引っ張られて飼い主が転倒したり、車に接触したりする危険がなくなる。またペットが飛びついて他人や他人のペットに怪我を負わせる事故もなくなり、散歩コースもペット主導ではなく、飼い主が決めることができる。
したがって、ペットの過引っ張りを防止できると共に、ペットは過引っ張りを学習し、過引っ張りをしない躾や訓練ができる。
【００３２】
（２）前記（１）によって、ペットに音で注意できるので、ペットの首輪を引き紐で強く引いて注意し、ペットが呼吸困難や脳貧血、首の障害等等を起こすこともなくなる。
【００３３】
（３）前記（１）によって、ペットが引き紐を引き続けた場合でも、スイッチがＯＮであれば音が出続け、ペットが引くのをやめない限りペットに注意できる。
【００３４】
（４）前記（１）によって、首輪や胴輪と引き紐の間に取り付けるだけなので、首輪や胴輪、引き紐が一般のものを使用でき経済的であると共に、いろいろなペットの大きさや力に関係なく使用でき、多くの種類を作らなくて済む。
【００３５】
（５）前記（１）によって、首輪取付具と引き紐取付具との間隔の一定量を調整することにより、ペットの大きさや引く力、躾や訓練の進み具合等で音の発生時期を調整でき、ペットや周囲の状況に合わせて適切な躾や訓練ができる。
【００３６】
（６）前記（１）によって、飼い主の声を録音しないでも使用できるので、録音の手間がかからないことと、一家など数人でペットを散歩させる場合でも、飼い主を特定せずに躾や訓練を行うことができる。
【００３７】
（７）請求項２記載の発明は、ペットの首輪や胴輪を取り付けることができる首輪取付具と、引き紐を取り付けることができる引き紐取付具と、前記首輪取付具と前記引き紐取付具との間隔が一定以上になった場合もしくは、前記首輪取付具と前記引き紐取付具との間に作用する力が一定以上になった場合にＯＮになり通電するスイッチと、このスイッチを介して電気が供給され振動を発生する振動発生装置と、それらに電気を供給する電源とで構成されているので、振動によりペットに過引っ張りを注意でき、前記（１）〜（５）と同様の効果が得られると共に、静かな市街地や夜間の市街地でも音を気にせず、他人の迷惑にならないでペットに躾や訓練ができる。
【００３８】
（８）請求項３記載の発明は、請求項１に係わる発明であり、前記スイッチを介して電気が供給され振動を発生する振動発生装置とで構成されているので、前記（１）〜（７）と同様の効果が得られる。
【００３９】
（９）請求項４記載の発明は、請求項１、３に係わる発明であり、前記音発生装置の周波数・音色等が切換可能であることもしくは、音量が調節可能であることもしくは、その両方であることで構成されているので、音発生装置の周波数・音色等を、超音波やペットの嫌がる音、警告音、メロディー等に切り換えたり、音量を調整して、ペットに合った周波数・音色等や音量で躾や訓練ができると共に、静かな市街地や夜間の市街地でも周波数・音色等や音量を、周囲の環境や状況に合わせて調整でき、他人の迷惑にならないようにしてペットに適切な躾や訓練ができる。また、前記（１）〜（７）と同様の効果が得られる。
【００４０】
（１０）前記（９）によって、ペットの躾や訓練が進むことにより、周波数・音色等を優しいものに変えたり、音量を徐々に低くしたりして、最終的にはこのペット用過引張防止・訓練装置を使用しないで済み、躾や訓練が完了する効果が得られる。
【図面の簡単な説明】
【図１】本発明の、第１の実施の形態の斜視図。
【図２】本発明の、第１の実施の形態の斜視図。
【図３】図２のＡ−Ａ線に沿う断面図。
【図４】図２のＡ−Ａ線に沿う通電状態を示した断面図。
【図５】本発明の、第２の実施の形態の斜視図。
【図６】図５のＢ−Ｂ線に沿う断面図。
【図７】本発明の、第３の実施の形態の斜視図。
【図８】図７のＣ−Ｃ線に沿う断面図。
【図９】従来のペット用訓練装置を示す斜視図。
【図１０】従来のペット用訓練装置の構成を示すブロック図。
【符号の説明】
１：首輪
１ａ：首輪留め具
２：首輪連結具
３：首輪取付具
３ａ：柄
３ｂ：ストッパー
３ｃ：スプリング
３ｄ：絶縁体
３ｅ：スイッチ接点
４：本体
４ａ：端壁
４ｂ：貫通孔
４ｃ：絶縁体兼スライドボタン
４ｄ：スイッチ接点
４ｅ：スリット
４ｆ：絶縁体
５：引き紐取付具
６：引き紐
６ａ：引き紐連結具
７：電源
７ａ、７ｂ、７ｃ：電線
８：音声発生装置
８ａ：周波数・音色等切換ダイヤル
８ｂ：音量調整ダイヤル
８ｃ：スピーカー
９Ａ、９Ｂ、９Ｃ：ペット用過引張防止・訓練装置
１０：圧電スイッチ
１１：バイブレータ
１２：磁石
１３：電磁スイッチ
２１：取付具
２２：引き綱
２３：スイッチ部
２５：スピーカ
２８：電源部
２９：音声出力再生回路
３０：音声記憶メモリ
【図１】
2004305192.tif 000003
【図２】
2004305192.tif 000004
【図３】
2004305192.tif 000005
【図４】
2004305192.tif 000006
【図５】
2004305192.tif 000007
【図６】
2004305192.tif 000008
【図７】
2004305192.tif 000009
【図８】
2004305192.tif 000010
【図９】
2004305192.tif 000011
【図１０】
2004305192.tif 000012